(57)【要約】【課題】本発明の課題は、各商品選択ボタンに対応した位置に設けられている価格表示器を利用して、まとめ買いにおける商品の販売価格を利用者に判りやすいように表示することができる自動販売機の表示装置を提供することにある。【解決手段】複数の商品選択ボタンそれぞれに対応して設けられ、該商品選択ボタンに対応する商品の販売価格を表示する価格表示器と、自動販売機前面に設けられる金額表示器とを備え、所望の商品選択ボタンを操作することにより、カードあるいは現金にて商品を購入可能な自動販売機において、前記商品選択ボタンの操作が複数回行われた場合、操作された商品選択ボタンの商品選択を全て有効とし、前記商品選択ボタン毎の商品販売価格の合計金額を対応する前記価格表示器に表示するとともに、前記商品選択ボタン全ての商品販売価格の合計金額を前記金額表示器に表示するものである。【選択図】図２
2010257322.tif 000002
【特許請求の範囲】
【請求項１】
複数の商品選択ボタンそれぞれに対応して設けられ、該商品選択ボタンに対応する商品の販売価格を表示する価格表示器と、自動販売機前面に設けられる金額表示器とを備え、所望の商品選択ボタンを操作することにより、カードあるいは現金にて商品を購入可能な自動販売機において、
前記商品選択ボタンの操作が複数回行われた場合、操作された商品選択ボタンの商品選択を全て有効とし、
前記商品選択ボタン毎の商品販売価格の合計金額を対応する前記価格表示器に表示するとともに、前記商品選択ボタン全ての商品販売価格の合計金額を前記金額表示器に表示することを特徴とする自動販売機の表示装置。
【請求項２】
請求項１に記載の自動販売機の表示装置において、同一の商品選択ボタンが複数回操作された場合には、前記価格表示器に操作された回数分の商品販売価格の合計金額を表示し、異なる商品選択ボタンも含め複数回操作された場合には、前記価格表示器に各商品選択ボタンの合計金額を表示し、前記金額表示器に全ての合計金額を表示することを特徴とする自動販売機の表示装置。
【請求項３】
請求項１または２に記載の自動販売機の表示装置において、販売待機状態において、商品選択ボタンが操作された際には、前記価格表示器にカードによる商品販売価格を表示することを特徴とする自動販売機の表示装置。
【請求項４】
請求項１ないし３のいずれか１項に記載の自動販売機の表示装置において、選択された商品選択ボタンの販売可能ランプを点滅することを特徴とする自動販売機の表示装置。
【請求項５】
請求項１ないし４のいずれか１項に記載の自動販売機の表示装置において、同一の商品選択ボタンが複数回操作された場合には、前記価格表示器に割引額を、異なる商品選択ボタンも含め複数回操作された場合には、前記金額表示器に割引額を表示することを特徴とする自動販売機の表示装置。
【請求項６】
請求項１ないし４のいずれか１項に記載の自動販売機の表示装置において、前記商品選択ボタン毎の商品販売価格の割引後の合計金額を対応する前記価格表示器に表示するとともに、前記商品選択ボタン全ての商品販売価格の割引後の合計金額を前記金額表示器に表示することを特徴とする自動販売機の表示装置。
【請求項７】
請求項６に記載の自動販売機の表示装置において、異なる商品選択ボタンも含め複数回操作された場合には、最後に操作された前記価格表示器に全ての商品選択ボタンの割引後の合計金額を表示し、前記金額表示器に全ての商品選択ボタンの割引後の合計金額を表示することを特徴とする自動販売機の表示装置。
【発明の詳細な説明】
【技術分野】
【０００１】
本発明は、各商品選択ボタンに対応した位置に商品の販売価格を表示する価格表示器を備えてなる自動販売機の表示装置に関する。
【背景技術】
【０００２】
従来、自動販売機においては、販売する商品に応じて販売価格が異なっているため、商品選択ボタンに対応した位置にそれぞれの商品の販売価格を表示する販売価格表示カードを備えてなる構成が知られている（特許文献１）。
しかしながら、前記自動販売機においては、商品の販売価格が変更になった場合に販売価格表示カードを新しい販売価格表示カードに取り換える必要があるため、商品の数が多い場合には交換作業が面倒であり、近年では、価格表示カードに代えてデジタル式の価格表示器が用いられるようになってきている（特許文献２）。
【先行技術文献】
【特許文献】
【０００３】
【特許文献１】実開平３−７０６８４号公報
【特許文献２】特開２００３−３１７１３４号公報
【発明の概要】
【発明が解決しようとする課題】
【０００４】
ところで、前記従来の方式では、現金による販売価格を表示しているのみであるため、商品選択ボタンに対応した位置に設けられている価格表示器が有効利用されていない。
すなわち、最近の自動販売機では、現金の他に、電子マネーによる販売も可能となってきているため、その際に、販売価格を現金、電子マネーなどの購入手段あるいは商品に応じて変更したい場合があり、前記価格表示器を利用した表示方式が検討されてきている。
さらに、商品先選択を可能とすることで、商品のまとめ買いを可能とする場合があるが、まとめ買いをした場合の合計金額表示については、合計金額のみが金額表示器に表示されるだけで、選択された商品選択ボタン毎の合計金額表示などの細かい対応についてはなされていないのが現状であった。
そこで、本発明は、各商品選択ボタンに対応した位置に設けられている価格表示器を利用して、まとめ買いにおける商品の合計価格を利用者に判りやすいように表示することができる自動販売機の表示装置を提供することを目的とする。
【課題を解決するための手段】
【０００５】
前記課題を解決するために、本発明の自動販売機の表示装置は、複数の商品選択ボタンそれぞれに対応して設けられ、該商品選択ボタンに対応する商品の販売価格を表示する価格表示器と、自動販売機前面に設けられる金額表示器とを備え、所望の商品選択ボタンを操作することにより、カードあるいは現金にて商品を購入可能な自動販売機において、前記商品選択ボタンの操作が複数回行われた場合、操作された商品選択ボタンの商品選択を全て有効とし、前記商品選択ボタン毎の商品販売価格の合計金額を対応する前記価格表示器に表示するとともに、前記商品選択ボタン全ての商品販売価格の合計金額を前記金額表示器に表示することを特徴とする。
また、前記自動販売機の表示装置において、同一の商品選択ボタンが複数回操作された場合には、前記価格表示器に操作された回数分の商品販売価格の合計金額を表示し、異なる商品選択ボタンも含め複数回操作された場合には、前記価格表示器に各商品選択ボタンの合計金額を表示し、前記金額表示器に全ての合計金額を表示することを特徴とする。
【０００６】
また、前記自動販売機の表示装置において、販売待機状態中に、商品選択ボタンが操作された際には、前記価格表示器にカードによる商品販売価格を表示することを特徴とする。
また、前記自動販売機の表示装置において、選択された商品選択ボタンの販売可能ランプを点滅することを特徴とする。
同一の商品選択ボタンが複数回操作された場合には、前記価格表示器に割引額を、異なる商品選択ボタンも含め複数回操作された場合には、前記金額表示器に割引額を表示することを特徴とする。
また、前記自動販売機の表示装置において、前記商品選択ボタン毎の商品販売価格の割引後の合計金額を対応する前記価格表示器に表示するとともに、前記商品選択ボタン全ての商品販売価格の割引後の合計金額を前記金額表示器に表示することを特徴とする。
【０００７】
また、前記自動販売機の表示装置において、異なる商品選択ボタンも含め複数回操作された場合には、最後に操作された前記価格表示器に全ての商品選択ボタンの割引後の合計金額を表示し、前記金額表示器に全ての商品選択ボタンの割引後の合計金額を表示することを特徴とする。
【発明の効果】
【０００８】
本発明は、各商品選択ボタンに対応した位置に設けられている価格表示器並びに金額表示器を利用して、商品のまとめ買いの合計金額の表示を行うことで、利用者にとって商品の合計金額が容易に理解できるという効果が得られる。
具体的には、同一商品の複数回選択によるまとめ買いにおいては少なくとも価格表示器に合計金額を表示させ、異なる商品も含めて複数回選択によるまとめ買いにおいては価格表示器に商品選択ボタン毎の合計金額を、金額表示器に総計した合計金額を表示させることで、二つの表示器を利用して、より一層、利用者にとって商品の合計金額が容易に理解できるという効果が得られる。
また、複数回選択によるまとめ買い時に、割引販売を行えるようにし、その際に、同一商品選択ボタンの場合には、価格表示器に割引後の合計金額を、異なる商品選択ボタンの場合には、最後に選択された商品選択ボタンもしくは金額表示器に合計金額を表示することで、割引後の合計金額が利用者にとって容易に理解できるという効果が得られる。
【図面の簡単な説明】
【０００９】
【図１】本発明の対象となる自動販売機の概略正面図である。
【図２】本発明の一実施の形態を示す構成ブロック図である。
【図３】本発明の一実施の形態の表示形態を示すフローチャートである。
【図４】本発明の一実施の形態の表示形態を示すフローチャートである。
【図５】本発明の一実施の形態の表示形態を示すフローチャートである。
【図６】本発明の一実施の形態の表示形態を示すフローチャートである。
【発明を実施するための形態】
【００１０】
以下に、本発明の実施の形態を以下に図1ないし図６に基づいて説明する。
図１は、本発明の実施の対象となる自動販売機の概略正面図の一例を示すものであり、自動販売機１は、その本体キャビネット前面に外扉２を備えており、本体キャビネット内には複数（ｎ個）のコラムを備えている。このコラムは、複数種類の商品を個別に収納する一方、商品選択ボタン３が押され、販売指令が与えられた場合に押された商品選択ボタン３に対応する商品の搬出を行うものである。
その前面側に外部から視認可能な商品見本４ａを内部に配列した商品見本展示室４、硬貨投入口５、硬貨返却口６、返却レバー７、商品取出口８、入金額などを表示する金額表示器９、販売可能ランプ，売切ランプを内蔵する商品選択ボタン３、販売価格などの商品に関する情報を表示するＬＥＤあるいは液晶表示などからなる価格表示器１０、前記金額表示器９の近傍に位置し、非接触の電子マネーカードをかざすためのアンテナ部１１ａが設けられている。
【００１１】
前記商品見本４ａは、それぞれコラムに収納した商品を現し、商品選択ボタン３に対応して設けられ、販売価格などの商品に関する情報を表示する価格表示器１０は、商品選択ボタン３の上方で商品見本４ａの下方に位置するように設けられている。
この価格表示器１０は、販売待機中には対応する商品の販売価格を表示しているものである。
次に、図２は、本発明の一実施の形態を示す構成ブロック図である。
２１は自動販売機全体を制御する自販機主制御部であり、自販機主制御部２１は、自動販売機全体を制御する制御プログラムを記憶するメモリ２１ａ、商品の販売価格、コラムと商品選択ボタンとの対応関係、その他、設定データ、売上データなどの各データを記憶するメモリ２１ｂを備えている。
【００１２】
この自販機主制御部２１には、各種設定・確認を行うためのリモコン２２、商品搬出を行う商品搬出装置２３、庫内の商品を冷却あるいは加熱する冷熱装置２４、貨幣処理装置２５、金額表示器９、販売可能ランプ３ａ，売切ランプ３ｂを内蔵する商品選択ボタン３、該商品選択ボタン３に対応して設けられ、商品の販売価格など商品に関する情報を表示する価格表示器１０、アンテナ部１１ａにかざされた電子マネーカードの内容の読み書き並びに決済を行うための電子マネー決済制御部１１が接続されている。
この構成において、商品の販売価格の設定の一例について説明すると、リモコン２２を用いて、現金による商品販売価格の設定モードとし、リモコン２２にて商品販売価格を例えば「１２０」と入力し、価格表示器１０に入力した価格を表示させ、その価格に設定したい商品選択ボタン３とリモコン２２の所定操作に基づき、現金による商品販売価格「１２０」をメモリ２１ｂに記憶させ、全ての商品に対して、同様の操作を繰り返し行う。
【００１３】
次に、電子マネーカードによる商品販売価格の設定モードとし、リモコン２２にて商品販売価格を例えば「１１０」と入力し、価格表示器１０に入力した価格を表示させ、その価格に設定したい商品選択ボタン３とリモコン２２の所定操作に基づき、電子マネーカードによる商品販売価格「１１０」をメモリ２１ｂに記憶させ、全ての商品に対して、同様の操作を繰り返し行う。
なお、価格表示器１０には、初期値として現金による商品の販売価格を表示する。
ここで、電子マネーによる商品購入時における販売価格表示の方式について、以下に順次説明する。
まず、商品選択ボタン３にて表示を切り替える場合について、図３のフローチャートを用いて説明する。
【００１４】
販売待機状態において、価格表示器１０には、現金による商品販売価格「１２０」を表示している（ステップＳ０１）。
次に、現金の入金があるかを判断しており（ステップＳ０２）、ここで、硬貨投入口５に硬貨の入金があり、商品の販売価格以上の入金であれば（ステップＳ０２，Ｙｅｓ）、販売可能な商品選択ボタン３の販売可能ランプ３ａを点灯させる（ステップＳ０３）。
次に、所望の商品選択ボタン３が押されると（ステップＳ０４，Ｙｅｓ）、選択された商品選択ボタン３の販売可能ランプ３ａのみを点灯し（ステップＳ０５）、自販機主制御部２１は、商品搬出装置２３を動作させてコラムから商品を商品取出口８に搬出して（ステップＳ０６）、販売可能ランプ３ａを消灯し（ステップＳ０７）、釣銭があれば（ステップＳ０８，Ｙｅｓ）、釣銭を硬貨返却口６に返却して（ステップＳ０９）、一連の販売処理を終了する。
【００１５】
一方、ステップＳ０２にて、入金が行われずに（ステップＳ０２，Ｎｏ）、商品選択ボタン３が押されると（ステップＳ１０，Ｙｅｓ）、選択された商品選択ボタン３の販売可能ランプ３ａを点滅し（ステップＳ１１）、価格表示器１０には、カードによる商品販売価格「１１０」を表示する（ステップＳ１２）。
次に、電子マネーカードがアンテナ部１１ａにかざされたかを判断し（ステップＳ１３）、所定時間内に電子マネーカードがアンテナ部１１ａにかざされなければ、タイムアップとし（ステップＳ１４，Ｙｅｓ）、販売可能ランプ３ａを消灯し（ステップＳ１７）、価格表示器１０の表示を現金による商品販売価格に戻して（ステップＳ１８）、処理を終了する。
一方、ステップＳ１３にて、所定時間内に電子マネーカードがアンテナ部１１ａにかざされると（ステップＳ１３，Ｙｅｓ）、電子マネーカード内の残高を読み取り、電子マネー決済制御部１１にて読み取った残高が先に選択された商品選択ボタン３の商品の販売価格を決済可能であれば決済を行うとともに、電子マネーカードの残高の更新を行い（ステップＳ１５）、決済が行われたことで、自販機主制御部２１は、商品搬出装置２３を動作させてコラムから商品を商品取出口８に搬出して（ステップＳ１６）、販売可能ランプ３ａを消灯し（ステップＳ１７）、価格表示器１０の表示を現金による商品販売価格「１２０」に戻して（ステップＳ１８）、一連の販売処理を終了する。
【００１６】
次に、電子マネーカードを使用した商品のまとめ買いにおける商品販売価格の表示処理について、図４のフローチャートを用いて説明する。
販売待機状態において、価格表示器１０には、現金による商品販売価格「１２０」を表示している（ステップＳ０１）。
この入金無しの状態で（ステップＳ０２，Ｎｏ）、商品選択ボタン３が押されると（ステップＳ２１，Ｙｅｓ）、選択された商品選択ボタン３の販売可能ランプ３ａを点滅し（ステップＳ２２）、価格表示器１０には電子マネーカードによる商品販売価格「１１０」を表示し、金額表示器９にも合計金額の「１１０」を表示する（ステップＳ２３）。
次に、同じ商品選択ボタン３が押されると（ステップＳ２４）、対応する価格表示器１０には２商品分の合計金額である「２２０」を表示し、金額表示器９にも合計金額の「２２０」を表示する（ステップＳ２５）。
【００１７】
次に、異なる商品選択ボタン３が押されると（ステップＳ２６）、選択された異なる商品選択ボタン３の販売可能ランプ３ａを点滅し（ステップＳ２７）、対応する価格表示器１０には、電子マネーカードによる商品販売価格「１１０」を表示し（ステップＳ２８）、金額表示器９には、全ての合計金額である「３３０」を表示する（ステップＳ２９）。
次に、電子マネーカードがアンテナ部１１ａにかざされたかを判断し（ステップＳ３０）、所定時間内に電子マネーカードがアンテナ部１１ａにかざされると（ステップＳ３０，Ｙｅｓ）、電子マネーカード内の残高を読み取り、電子マネー決済制御部１１にて先に押された商品選択ボタン３の合計販売価格と決済可能であれば決済を行うとともに、電子マネーカードの残高の更新を行い（ステップＳ３１）、決済が行われたことで、自販機主制御部２１は、商品搬出装置２３を動作させてコラムから商品を商品取出口８に搬出して（ステップＳ３２）、販売可能ランプ３ａを消灯し（ステップＳ３３）、価格表示器１０の表示を現金による商品販売価格「１２０」に戻して（ステップＳ３４）、一連の販売処理を終了する。
【００１８】
一方、所定時間内に電子マネーカードがアンテナ部１１ａにかざされなければ、タイムアップとし（ステップＳ３５，Ｙｅｓ）、販売可能ランプ３ａを消灯し（ステップＳ３３）、価格表示器１０の表示を現金による商品販売価格「１２０」に戻して（ステップＳ３４）、処理を終了する。
なお、現金販売のステップＳ０１〜Ｓ０９については、図３のフローチャートと同一の処理であるため、説明を省略する。
このように、商品のまとめ買い時には、選択された商品選択ボタン３毎の合計金額はそれぞれの価格表示器１０に表示し、全ての合計金額については、金額表示器９に表示することにより、利用者はまとめ買い時に商品の購入合計金額を容易に理解することが可能となる。
【００１９】
また、アンテナ部１１ａの近傍に電子マネーカード用の表示部を有している場合には、金額表示器９に代えて、この表示部に合計金額を表示するようにしてもよく、価格表示器１０の販売価格表示に関し、商品選択ボタン３が押された場合に価格を点滅表示するようにしてもよい。
さらに、商品選択ボタン３に対応する商品が売切の場合には、価格表示器１０の表示を消灯状態としてもよく、また、全ての商品が売切となった場合のみ価格表示器１０の表示を消灯状態としてもよい。
次に、まとめ買い時の割引処理の表示について、図５のフローチャートを用いて説明する。
販売待機状態において、価格表示器１０には、現金による商品販売価格「１２０」を表示している（ステップＳ０１）。
【００２０】
次に、入金が行われずに（ステップＳ０２，Ｎｏ）、商品選択ボタン３が押されると（ステップＳ４１，Ｙｅｓ）、選択された商品選択ボタン３の販売可能ランプ３ａを点滅し（ステップＳ４２）、価格表示器１０には電子マネーカードによる商品販売価格「１１０」を表示し、金額表示器９には合計金額の「１１０」を表示する（ステップＳ４３）。
次に、同じ商品選択ボタン３が押されると（ステップＳ４４）、対応する価格表示器１０には２商品分の合計金額「２２０」からまとめ買い割引額の「１０」を割り引いた割引後の合計金額である「２１０」を表示し、金額表示器９にも割引後の合計金額である「２１０」を表示する（ステップＳ４５）。
次に、電子マネーカードがアンテナ部１１ａにかざされたかを判断し（ステップＳ４６）、所定時間内に電子マネーカードがアンテナ部１１ａにかざされると（ステップＳ４６，Ｙｅｓ）、電子マネーカード内の残高を読み取り、電子マネー決済制御部１１にて先に押された商品選択ボタン３の合計販売価格が決済可能であれば決済を行うとともに、電子マネーカードの残高の更新を行い（ステップＳ４７）、決済が行われたことで、自販機主制御部２１は、商品搬出装置２３を動作させてコラムから商品を商品取出口８に搬出して（ステップＳ４８）、販売可能ランプ３ａを消灯し（ステップＳ４９）、価格表示器１０の表示を現金による商品販売価格「１２０」に戻して（ステップＳ５０）、一連の販売処理を終了する。
【００２１】
一方、所定時間内に電子マネーカードがアンテナ部１１ａにかざされなければ、タイムアップとし（ステップＳ５１，Ｙｅｓ）、販売可能ランプ３ａを消灯し（ステップＳ４９）、価格表示器１０の表示を現金による商品販売価格「１２０」に戻して（ステップＳ５０）、処理を終了する。
なお、現金販売のステップＳ０１〜Ｓ０９については、図３のフローチャートと同一の処理であるため、説明を省略する。
このように、同じ商品選択ボタンの商品をまとめ買いしたときには、さらに割引して商品を販売する場合に割引後の合計金額を価格表示器に表示できるようにする。
次に、異なる商品の組合せによって割引した場合の表示方式について、図６のフローチャートを用いて説明する。
【００２２】
販売待機状態において、価格表示器１０には、現金による商品販売価格「１２０」を表示している（ステップＳ０１）。
次に、入金が行われずに（ステップＳ０２，Ｎｏ）、商品選択ボタン３が押されると（ステップＳ６１，Ｙｅｓ）、選択された商品選択ボタン３の販売可能ランプ３ａを点滅し（ステップＳ６２）、価格表示器１０には、電子マネーカードによる商品販売価格「１１０」を表示し、金額表示器９には、合計金額の「１１０」を表示する（ステップＳ６３）。
次に、異なる商品選択ボタン３が押されると（ステップＳ６４）、選択された商品選択ボタン３の販売可能ランプ３ａを点滅し（ステップＳ６５）、対応する価格表示器１０には、電子マネーカードによる割引後の合計金額である「２１０」を表示し（ステップＳ６６）、金額表示器９にも、割引後の合計金額である「２１０」を表示する（ステップＳ６７）。
【００２３】
次に、電子マネーカードがアンテナ部１１ａにかざされたかを判断し（ステップＳ６８）、所定時間内に電子マネーカードがアンテナ部１１ａにかざされると（ステップＳ６８，Ｙｅｓ）、電子マネーカード内の残高を読み取り、電子マネー決済制御部１１にて先に押された商品選択ボタン３の合計販売価格が決済可能であれば決済を行うとともに、電子マネーカードの残高の更新を行い（ステップＳ６９）、決済が行われたことで、自販機主制御部２１は、商品搬出装置２３を動作させてコラムから商品を商品取出口８に搬出して（ステップＳ７０）、販売可能ランプ３ａを消灯し（ステップＳ７１）、次に、価格表示器１０の表示を現金による商品販売価格「１２０」に戻し（ステップＳ７２）、一連の販売処理を終了する。
一方、所定時間内に電子マネーカードがアンテナ部１１ａにかざされなければ、タイムアップとし（ステップＳ７３，Ｙｅｓ）、販売可能ランプ３ａを消灯し（ステップＳ７１）、価格表示器１０の表示を現金による商品販売価格「１２０」に戻して（ステップＳ７２）、処理を終了する。
【００２４】
なお、現金販売のステップＳ０１〜Ｓ０９については、図３のフローチャートと同一の処理であるため、説明を省略する。
このように、異なる商品選択ボタンにおけるまとめ買いの際の割引後の合計金額表示については、後から選択された商品選択ボタン３に対応する価格表示器１０に割引後の合計金額を表示するとともに、金額表示器９にも割引後の合計金額を表示するようにして、利用者に割引後の合計金額を分かりやすくする。
また、同じ商品で複数の商品選択ボタンがある場合には、前記の異なる商品選択ボタンと同様に表示するようにしてもよい。
また、異なる商品選択ボタンにおけるまとめ買いの際の表示変形例としては、２つ目の商品選択ボタン３が押された際に、それぞれの価格表示器１０には「１０５」と表示し、金額表示器９に合計金額の「２１０」を表示するようにしてもよい。
【００２５】
また、異なる商品選択ボタンにおけるまとめ買いの際の表示変形例としては、それぞれの価格表示器１０にはまとめ買い割引前の金額「１１０」をそれぞれ表示し、金額表示器９にまとめ買い割引後の合計金額の「２１０」を表示するようにしてもよい。
また、上記実施の形態は、電子マネーカードにおけるまとめ買いについて説明したが、現金による商品の購入においても、商品先選択を有効とした場合に、まとめ買いを有効としてもよく、その際の価格表示について、以下に簡単に説明する。
すなわち、販売待機状態において、価格表示器１０には、現金による商品販売価格「１２０」を表示している。
この状態、商品選択ボタン３が押されると、押された商品選択ボタン３の販売可能ランプ３ａを点滅し、価格表示器１０には商品販売価格「１２０」を表示し、金額表示器９には合計金額の「１２０」を表示する。
【００２６】
次に、同じ商品選択ボタン３が押されると、対応する価格表示器１０には２商品分の合計金額である「２４０」を表示し、金額表示器９にも合計金額の「２４０」を表示する。
また、２つ目の商品選択が異なる商品の場合には、それぞれの価格表示器１０に「１２０」と表示し、金額表示器９に合計金額の「２４０」を表示する。
次に、現金においても、まとめ買いにおける割引を可能とする場合には、同じ商品選択ボタン３が押されると、対応する価格表示器１０には２商品分の割引後の合計金額である「２２０」を表示し、金額表示器９にも割引後の合計金額である「２２０」を表示する。
また、２つ目の商品選択が異なる商品の場合には、電子マネーカードによる表示同様に、後から選択された商品選択ボタン３の価格表示器１０に割引後の合計金額である「２２０」と表示し、金額表示器９にも割引後の合計金額である「２２０」を表示する。
【００２７】
なお、異なる商品選択ボタンにおけるまとめ買いの際の表示変形例としては、
電子マネーカードによる表示同様に、２つ目の商品選択ボタン３が押された際に、それぞれの価格表示器１０には「１１０」と表示し、金額表示器９に合計金額の「２２０」を表示するようにしてもよい。
また、割引表示の変形例としては、以下のとおり種々の表示方式が考えられ、商品の選択に応じて、金額表示器９、価格表示器１０に商品販売価格「２１０」と割引額「−１０」、合計販売価格「２２０」と割引後の合計販売価格「２１０」との切り替え表示などが考えられる。
【符号の説明】
【００２８】
１        自動販売機
３        商品選択ボタン
３ａ      販売可能ランプ
９        金額表示器
１０      価格表示器
１１      電子マネー決済制御部
１１ａ    アンテナ部
２１      自販機主制御部
２１ａ    メモリ
２１ｂ    メモリ
２２      リモコン
【図１】
2010257322.tif 000003
【図２】
2010257322.tif 000004
【図３】
2010257322.tif 000005
【図４】
2010257322.tif 000006
【図５】
2010257322.tif 000007
【図６】
2010257322.tif 000008